(57)【要約】      （修正有）【課題】飲料缶全体の高さを減少でき、蓋の貯蔵チェンバー内の溶解物の放出が容易になる飲料缶を提供する。【解決手段】腹部に蛇腹形状に構成された弾性部が設けられ、一端にある開口に外ねじ部が設けられ、その底部の内面に円錐部４５が設けられる本体４０と、内周縁に、前記本体の前記開口の前記外ねじ部と螺合する内ねじ部が設けられ、内部に外ねじを有するねじ軸が設けられる蓋５０と、一端には、前記蓋の前記ねじ軸と螺合する内ねじ６１を設ける。さらに、上端には軟性体６２が設けられ、前記軟性体が前記蓋の前記ねじ軸で押えられると密閉状態になり、その下端面には、前記本体の前記円錐部に対応する開口密封板が設けられる分詰部６０とにより飲料缶を形成する。【選択図】図２
0003163586.tif 000002
【実用新案登録請求の範囲】
【請求項１】
腹部に蛇腹形状に構成された弾性部（４１）が設けられ、その一端にある開口（４００）に外ねじ部（４０１）が設けられ、その底部の内面に円錐部（４５）が設けられた本体（４０）と、
その内周縁には、前記本体（４０）の前記開口（４００）の前記外ねじ部（４０１）と螺合する内ねじ部（５１）が設けられ、その内部に外ねじを有するねじ軸（５２）が設けられた蓋（５０）と、
一端に、前記蓋（５０）の前記ねじ軸（５２）と螺合する内ねじ（６１）が設けられ、上端に軟性体（６２）が設けられ、前記軟性体（６２）が前記蓋（５０）の前記ねじ軸（５２）で押えられると密閉状態となり、その下端面には、前記本体（４０）の前記円錐部（４５）に対応する開口密封板（６４）が設けられた分詰部（６０）と、
を含むことを特徴とする飲料缶。
【請求項２】
更に、蛇腹形状に構成された前記弾性部（４１）に嵌合される一組の押止ブロック（８０）と、包装フィルム（９０）と、を含み、前記押止ブロック（８０）は、半円の円弧形状に構成され、外側は平面に構成され、内側が前記弾性部（４１）と対応するように蛇腹形状に構成されており、前記包装フィルム（９０）は、前記飲料缶（３０）を覆うと共に、前記押止ブロック（８０）と前記蓋（５０）とを覆うことを特徴とする、請求項１に記載の飲料缶。
【請求項３】
前記分詰部（６０）の内部には、略円錐状に構成され、溶解物（７０）を収容する収容空間（６３）が設けられ、前記分詰部（６０）は、上から下へ縮径する略円錐状に構成されたチューブであり、前記開口密封板（６４）には、前記分詰部（６０）と連結する連接体（６４１）と、薄型の連接リング（６４３）を有する凹体（６４２）と、が設けられ、前記本体（４０）に溶解液（４６）が充填されることを特徴とする、請求項２に記載の飲料缶。
【考案の詳細な説明】
【技術分野】
【０００１】
本考案は、飲料缶に関するものである。
【背景技術】
【０００２】
通常、飲料缶の内容物は直接、人が飲用可能な液体である。賞味期限以内に前記液体が腐敗しないように、前記液体には防腐剤が添加されている。健康に配慮して前記液体に添加される防腐剤を減少するために、従来技術として、図１に示した飲料缶１が提案された。飲料缶１は、蓋１０の貯蔵チェンバー１２１内に濃縮された溶解物１２２が充填されるため、溶解物１２２が腐敗し難くなり、容器２０に収容されるのは飲用水またはアルコールであるため、腐敗し難く、飲料を飲みたいときには、溶解物１２２と容器２０に収容される飲用水またはアルコールとを混合する。図１に示すように、蓋１０は、外蓋１１と、内スリーブ１２と、を含む。外蓋１１から、外リング１１２と、内リング１１３と、が延設され、外リング１１２と内リング１１３との間に仕切空間１１４が形成され、外リング１１２が内リング１１３を嵌める。外リング１１２と内リング１１３との間には、濃縮された溶解物１２２を収容する貯蔵チェンバー１２１が形成される。内スリーブ１２は、開口２１の端面に当接する屈折縁１２３を有し、屈折縁１２３から遠ざかった側に開溝１２４が設けられ、その底部にカバー１２５が設けられる。次に、蓋１０の使用方法を説明する。外蓋１１を容器２０の方向へ移動させることにより、貯蔵チェンバー１２１が開けられて溶解物１２２が容器２０内に流入する。
【考案の概要】
【考案が解決しようとする課題】
【０００３】
しかしながら、これは次のような欠点があった。
（１）溶解物１２２が蓋１０に充填されるため、蓋１０の高さが増加する。そうすると、飲料缶全体の高さが増加し、包装が困難となり、また陳列棚において飲料缶を倒した状態で陣列することになるので、消費者の注意を引くことが難しい。
【０００４】
（２）容器２０の開口２１にある外ねじ２１１は外蓋１１の外リング１１２にある内ねじ１１２１と螺合するため、外蓋１１を複数回回転させないと、開口２１にある外ねじ２１１の一定の位置まで外蓋１１を到達できず、蓋１０の貯蔵チェンバー１２１を開けることができない。そうすると、使用は極めて不便である。
【０００５】
本考案の主な目的は、飲料缶全体の高さを減少でき、蓋の貯蔵チェンバー内の溶解物の放出が容易になる飲料缶を提供することにある。
【課題を解決するための手段】
【０００６】
本考案の飲料缶は、その腹部に蛇腹形状に構成された弾性部が設けられ、その一端にある開口に外ねじ部が設けられ、その底部の内面に円錐部が設けられる本体と、その内周縁には、前記本体の前記開口の前記外ねじ部と螺合する内ねじ部が設けられ、その内部に外ねじを有するねじ軸が設けられる蓋と、その一端には、前記蓋の前記ねじ軸と螺合する内ねじが設けられ、その上端に軟性体が設けられ、前記軟性体が前記蓋の前記ねじ軸で押えられると密閉状態となり、その下端面には、前記本体の前記円錐部に対応する開口密封板が設けられた分詰部と、を含むことを特徴とする。
【０００７】
本考案の飲料缶は、更に、蛇腹形状に構成された前記弾性部に嵌合される一組の押止ブロックと、包装フィルムと、を含み、前記押止ブロックは、半円の円弧形状に構成され、外側は平面に構成され、内側が前記弾性部に対応する蛇腹形状で構成され、前記包装フィルムは、前記飲料缶を覆うと共に、前記押止ブロックと前記蓋とを覆うことを特徴とする。
【０００８】
本考案の飲料缶は、前記分詰部の内部には、略円錐状に構成された溶解物を収容する収容空間が設けられ、前記分詰部は、上から下へ縮径する略円錐状に構成されたチューブであり、前記開口密封板には、前記分詰部と連結する連接体と、薄型の連接リングを有する凹体と、が設けられ、前記本体に溶解液が充填されることを特徴とする。
【考案の効果】
【０００９】
本考案の飲料缶は、飲料缶全体の高さを減少でき、蓋の貯蔵チェンバー内の溶解物の放出が容易になるという効果を有する。
【図面の簡単な説明】
【００１０】
【図１】従来の飲料缶の組合状態を示す断面図である。
【図２】本考案の飲料缶が包装フィルムに覆われた状態を示す斜視図である。
【図３】本考案の飲料缶と一組の押止ブロックとを示す分解斜視図である。
【図４】本考案の飲料缶の一部を破断した状態を示す斜視図である。
【図５】図５（Ａ）は本考案の飲料缶の組合状態を示す断面図であり、図５（Ｂ）は図５（Ａ）における５Ｂ-５Ｂ線断面図である。
【図６】本考案の弾性部が圧縮された状態を示す説明図である。
【図７】本考案の飲料缶の円錐部が分詰部の開口密封板を押えている状態を示す説明図である。
【図８】本考案の飲料缶の円錐部により開口密封板の連接体が押し開けられた状態を示す断面図である。
【図９】本考案の飲料缶の円錐部により開口密封板の連接体が押し開けられた状態を示す拡大断面図である。
【図１０】本考案の弾性部が通常状態に回復した状態を示す断面図である。
【考案を実施するための形態】
【００１１】
以下、本考案の実施の形態を図面に基づいて説明する。
【００１２】
まず、図２乃至図５（Ｂ）を参照する。本考案の飲料缶３０によれば、分詰部６０に充填される濃縮物である溶解物７０が本体４０内へ素早く放出する。本考案の飲料缶３０は、本体４０と、蓋５０と、分詰部６０と、一組の押止ブロック８０と、包装フィルム９０と、を含む。
【００１３】
図３に示すように、本体４０は、その腹部に蛇腹形状に構成された弾性部４１が設けられ、その底部の内面に円錐部４５が設けられている。前記円錐部４５の周面に補強リブ４５１が複数設けられ、本体４０の一端にある開口４００に外ねじ部４０１が設けられ、本体４０内に溶解液４６が充填される。
【００１４】
図４に示すように、蓋５０の内周縁には、本体４０の開口４００の外ねじ部４０１と螺合する内ねじ部５１が設けられ、その中央に外ねじを有するねじ軸５２が延設される。
【００１５】
分詰部６０は、上から下へ縮径する略円錐状に構成されたチューブであり、その一端には、蓋５０のねじ軸５２と螺合する内ねじ６１が設けられ、内ねじ６１の下には、周面が円錐状に構成され分詰部６０の開口部を密閉するように押付けられる軟性体６２が設けられ、軟性体６２により分詰部６０の略円錐状に構成された収容空間６３に充填される濃縮物である溶解物７０の漏れ出しを防止できる。分詰部６０の下端面には、開口密封板６４が設けられる。図５（Ａ）に示すように、開口密封板６４には、円錐部４５をガイドするための凹体６４２が形成される。凹体６４２の外縁には、円錐部４５の押付により断裂し易い連接リング６４３と、開口密封板６４とを連結する連接体６４１と、が設けられる。
【００１６】
一組の押止ブロック８０は、図３に示すように、蛇腹形状に構成された弾性部４１に嵌合され、押止ブロック８０は、半円の円弧形状に構成され、外側は平面で、内側は弾性部４１に対応するように蛇腹形状に構成されている。
【００１７】
図２に示すように、包装フィルム９０は、飲料缶３０を覆うと共に、押止ブロック８０と蓋５０とを覆う。包装フィルム９０に切り取りライン９１が設けられ、切り取りライン９１を裂いて、包装フィルムを破がして、一組の押止ブロック８０を取外し、弾性部４１を上下方向に押すと、円錐部４５により分詰部６０の開口密封板６４が押し開けられて、分詰部６０に充填される溶解物７０が本体４０内に素早く流入して、本体４０内にある溶解液４６により溶解物７０が希釈され、溶解物７０が溶解液４６と素早く混合する。
【００１８】
次に、図２乃至図５（Ｂ）を参照しながら本考案の使用方法を説明する。まず、図２に示すように、分詰部６０の収容空間６３に溶解物７０を充填して、分詰部６０の内ねじ６１に軟性体６２を押付ける。図３に示すように、本体４０の開口４００に蓋５０を向けて、本体４０の開口４００にある外ねじ部４０１に蓋５０の内ねじ部５１をねじ込み、そうすると、図４に示すように、蓋５０の中央から延設するねじ軸５２が、周面が円錐状に構成された軟性体６２を押下げ、前記軟性体６２の内周面が略円錐状に構成された収容空間６３の上端を更に密閉するように押付けられることで、分詰部６０の収容空間６３に充填される溶解物７０の漏れ出しを防止できる。図３に示すように、本体４０の蛇腹形状に構成された弾性部４１に一組の押止ブロック８０を嵌合して、図２に示すように、切り取りライン９１を有する包装フィルム９０により飲料缶３０を覆う。
【００１９】
本考案の飲料缶３０の内容物を飲みたいときには、図２及び図３に示すように、切り取りライン９１により包装フィルム９０を裂いて飲料缶３０から包装フィルム９０を取外した後、一組の押止ブロック８０を取外して、図６及び図７に示すように、本体４０の上下端から中央へ本体４０を押えると、弾性部４１が圧縮されて、本体４０の底部にある円錐部４５が凹体６４２に押付けられ、凹体６４２のガイドにより円錐部４５が直立状態になり、弾性部４１が更に圧縮されると、分詰部６０の末端にある開口密封板６４が円錐部４５に押付けられて、連接リング６４３が断裂し、連接体６４１により凹体６４２が開口密封板６４と連接し、このとき、図８及び図９に示すように、開口密封板６４が開放状態になって、図１０に示すように、分詰部６０に充填される溶解物７０が本体４０内に流入して、本体４０内にある溶解液４６により溶解物７０が希釈され、溶解物７０が溶解液４６と素早く混合する。なお、本体４０の上下端から中央へ本体４０を押える力が消えると、弾性部４１の弾力により本体４０は通常状態に回復する。
【産業上の利用可能性】
【００２０】
本考案は、飲料缶に適用することができる。
【符号の説明】
【００２１】
１  飲料缶
１０  蓋
１１  外蓋
１２  内スリーブ
２０  容器
２１  開口
３０  飲料缶
４０  本体
４１  弾性部
４５  円錐部
４６  溶解液
５０  蓋
５１  内ねじ部
５２  ねじ軸
６０  分詰部
６１  内ねじ
６２  軟性体
６３  収容空間
６４  開口密封板
７０  溶解物
８０  押止ブロック
９０  包装フィルム
９１  切り取りライン
１１２  外リング
１１３  内リング
１１４  仕切空間
１２１  貯蔵チェンバー
１２２  溶解物
１２３  屈折縁
１２４  開溝
１２５  カバー
２１１  外ねじ
４００  開口
４０１  外ねじ部
４５１  補強リブ
６４１  連接体
６４２  凹体
６４３  連接リング
１１２１  内ねじ
【図１】
0003163586.tif 000003
【図２】
0003163586.tif 000004
【図３】
0003163586.tif 000005
【図４】
0003163586.tif 000006
【図５】
0003163586.tif 000007
【図６】
0003163586.tif 000008
【図７】
0003163586.tif 000009
【図８】
0003163586.tif 000010
【図９】
0003163586.tif 000011
【図１０】
0003163586.tif 000012